(57)【要約】  照明器具は、前記照明器具の発光窓の面Ｐに隣接した光センサユニットを収容する。前記光センサユニットは、筐体の中に、前記筐体の開口部に面する光センサを持つ。前記開口部は、前記光センサに向けて狭くなっているシェードによって囲まれる。前記シェードの軸方向断面において、前記シェードの内面は凸状である。前記内面の前記形状は、広範な材料の使用を可能にする。なぜなら、前記光センサの観測に周囲光が影響を及ぼすことが防止されるからである。
2008533680.tif 000002
【特許請求の範囲】
【請求項１】
−  発光窓であって、前記発光窓と対向する領域を照明するよう光を放射するための発光窓を面内に持つハウジングと、
−  電灯を収容するための、前記ハウジング内の保持手段と、
−  前記電灯の明るさを制御するための光センサユニットであって、前記ユニットが、筐体であって、前記筐体の開口部に面する光センサを収容する筐体を有し、前記光センサが、前記領域に面し、前記開口部が、前記面に隣接する管状シェードによって周囲を囲まれ、前記シェードが、長手方向軸を持つ内面を持ち、外縁から前記光センサに向けて狭くなっている光センサユニットと、
−  前記電灯を起動し、動作させ、前記光センサからの信号に依存して前記電灯を制御するための回路であって、前記光センサ及び前記保持手段に電気的に接続される回路とを有する照明器具であって、前記シェードの前記内面が、軸方向断面において前記軸の方へ凸状であることを特徴とする照明器具。
【請求項２】
前記シェードが、前記筐体と一体になっていることを特徴とする請求項１に記載の照明器具。
【請求項３】
前記内面の接線が、前記外縁を通り、前記長手方向軸を通り、前記光センサの端点を通ることを特徴とする請求項１又は２に記載の照明器具。 
【請求項４】
前記内面の接線が、前記外縁を通り、前記長手方向軸を通り、前記光センサの中央領域において前記光センサと交わることを特徴とする請求項１又は２に記載の照明器具。
【請求項５】
前記内面が、軸方向断面において、円の弧と一致して湾曲していることを特徴とする請求項４に記載の照明器具。
【請求項６】
筐体であって、前記筐体の開口部に面する光センサを収容する筐体を有し、前記開口部が、管状シェードによって周囲を囲まれ、前記シェードが、長手方向軸を持つ内面を持ち、外縁から前記光センサに向けて狭くなっている光センサユニットであって、前記シェードの前記内面が、軸方向断面において前記軸の方へ凸状であることを特徴とする光センサユニット。
【請求項７】
前記シェードが、前記筐体と一体になっていることを特徴とする請求項６に記載の光センサユニット。
【請求項８】
前記内面の接線が、前記外縁を通り、前記長手方向軸を通り、前記光センサの端点を通ることを特徴とする請求項６又は７に記載の光センサユニット。 
【請求項９】
前記内面の接線が、前記外縁を通り、前記長手方向軸を通り、前記光センサの中央領域において前記光センサと交わることを特徴とする請求項６又は７に記載の光センサユニット。
【請求項１０】
前記内面が、軸方向断面において、円の弧と一致して湾曲していることを特徴とする請求項９に記載の光センサユニット。
【発明の詳細な説明】
【技術分野】
【０００１】
本発明は、 
−  発光窓であって、前記発光窓と対向する領域Ｆを照明するよう光を放射するための発光窓を面Ｐ内に持つハウジングと、
−  電灯Ｌを収容するための、前記ハウジング内の保持手段と、
−  前記電灯Ｌの明るさを制御するための光センサユニットであって、前記ユニットが、筐体(box)であって、前記筐体の開口部に面する光センサを収容する筐体を有し、前記光センサが、領域Ｆに面し、前記開口部が、面Ｐに隣接する管状シェード(tubular shade)によって周囲を囲まれ、前記シェードが、長手方向軸を持つ内面を持ち、外縁から前記光センサに向けて狭くなっている光センサユニットと、
−  前記電灯Ｌを起動し、動作させ、前記光センサからの信号に依存して前記電灯Ｌを制御するための回路であって、前記光センサ及び前記保持手段に電気的に接続される回路とを有する照明器具に関する。
【０００２】
本発明は、筐体であって、前記筐体の開口部に面する光センサを収容する筐体を有し、前記開口部が、管状シェードによって周囲を囲まれ、前記シェードが、長手方向軸を持つ内面を持ち、外縁から前記光センサに向けて狭くなっている光センサユニットにも関する。
【背景技術】
【０００３】
このような照明器具の実施例は、日本国の特開平１０−３０２５３５号公報から既知である。
【０００４】
既知の照明器具においては、２つの隣接する管状ランプの間のＶ字形反射板の裏に筐体がある。反射板には開口部があり、開口部にはシェードがある。シェードは、円錐形をしている別体である。センサは、照明領域Ｆの輝度を観測し、回路への信号によって、所望の輝度に依存してランプＬの明るさを調節することを目的としている。
【０００５】
シェードは、センサの開口を限定し、それによって、周囲光が、例えば窓によって伝えられ、センサに当たることを防止する役割を果たす。周囲光がセンサに当たることが妨げられない場合、領域Ｆの輝度の観測は不正確である。実際には、照明器具において利用されるシェードの内面は、光を吸収し、それによって、周囲光が、内面における反射後にセンサに当たり、斯くして、誤った観測をもたらすこと防止するために、黒色である。
【０００６】
既知の照明器具の不利な点は、反射を防止する必要性が、シェードの材料を選択する自由度を制限することにある。
【発明の開示】
【発明が解決しようとする課題】
【０００７】
本発明の第１の目的は、冒頭の段落に記載されているタイプの照明器具であって、シェードの材料の広範な選択を可能にする一方で、それにもかかわらず、輝度の信頼性の高い観測の可能性を与える照明器具を提供することにある。
【０００８】
本発明の第２の目的は、冒頭の段落に記載されているタイプの光センサユニットであって、シェードの材料の広範な選択を可能にする一方で、それにもかかわらず、輝度の信頼性の高い観測の可能性を与える光センサユニットを提供することにある。
【課題を解決するための手段】
【０００９】
前記第１の目的は、前記シェードの内面が、軸方向断面において、前記軸の方へ凸状であることで達成される。
【００１０】
前記シェードの前記内面の前記形状の結果として、円錐形の内面の表面に沿ってセンサに到達し得る周囲光は、この場合、遮られる。円錐形をしているシェードにおいては、前記シェードによる反射後に前記センサに到達するであろう周囲光の他の光線は、この場合、外に反射される、又は多数回の反射後に前記センサに到達する。前記多数回の反射は、略々全ての材料の不完全な反射特性のために光の損失をもたらし、それによって、周囲光の影響を減らす。前記シェードの前記形状は、領域Ｆの輝度の観測に多少影響を与えるが、この影響は、周囲光の影響を防止するという有利な効果と比べてずっと小さいことに注意されたい。
【００１１】
前記シェードの前記形状の結果として、前記シェードは、もはや、光を吸収する、例えば、暗色又は黒色の材料で作成される必要がない。本発明による照明器具のシェードは、半ば鏡面的に反射するもの(semi-specularly reflecting)、又は好ましくは、拡散反射するものであってもよい。前記シェードは、例えば、前記照明器具の隣接金属部分と審美的に合う灰色であってもよい。筐体及び前記シェードは、例えばアルミニウムといった金属、又は例えばアクリロニトリル・ブタジエン・スチレン（ＡＢＳ）といったプラスチックで作成されてもよい。
【００１２】
これに関連して、実施例においては、前記シェードが、前記筐体と一体になり得ることは、本発明の有利な結果である。これは、前記光センサユニットの製造を簡単にし、その結果として、安価にする。前記ユニットが、審美的に前記照明器具と調和するよう作成され得るので、それは、良好に見えるようにされることができ、これは、前記照明器具における前記ユニットの位置決めにおいて大きな自由度を与える。
【００１３】
前記シェードの凸状内面は、周囲光に対して大きな遮蔽効果を持ち得るが、本発明の照明器具の好ましい実施例においては、前記内面は、前記内面の接線が、縁を通り、軸を通り、前記センサの端点を通るような形状をしている。その場合、選ばれた寸法のシェードは、周囲光の効果的な遮蔽を供給する一方で、領域Ｆの輝度の観測には少ししか影響を及ぼさない。しかしながら、前記接線は、前記センサの他のどんな場所で前記センサと交わってもよい。 
【００１４】
実施例においては、前記接線は、前記センサの中央領域において前記センサと交わる。この実施例においては、周囲光が前記センサに到達するのを妨げることと、それにもかかわらず、領域Ｆの照度を観測するための相対的に大きな開口とのバランスがとれている。一般に、前記バランスは、前記接線が前記センサの中央を通る場合に最適である。
【００１５】
前記内面が、軸方向断面において、円の弧と一致して湾曲している場合には有利であるが、例えば放物線状の湾曲などの他の湾曲も適用可能である。他の例においては、前記内面は、幾つかの円錐形の断面を有してもよい。 
【００１６】
本発明の第２の目的は、前記センサユニットが、前記照明器具に関して上に記載されているような特徴を１つ以上持つことで達成される。
【００１７】
本発明のセンサユニットは、照明器具における使用に適している。
【００１８】
前記センサユニットは、付加的なセンサ、例えば、前記照明器具をつける及び消す信号を受信するための赤外線検出器を含んでもよく、更に、所定の期間内に動きが検出されない場合には前記照明器具を消す動き検出器を含んでもよい。
【００１９】
本発明の照明器具は、１つ以上の蛍光灯、例えば、細長い管状のランプ又は２つの平行な管状部分を持つランプを収容することを目的とし得る。
【００２０】
前記照明器具は、ランプによって生成された光をビームに成形するための１つ以上の反射器を含んでもよい。また、例えば、前記ハウジングの、前記発光窓と対向する、ラッカー塗装された壁部が、反射器を構成してもよい。しかしながら、前記照明器具は、間接照明も供給するために、前記発光窓と対向する第２の窓を持っていてもよい。
【００２１】
前記発光窓中にはラメラ(Lamellae)があってもよい。さもなければ、前記窓は、例えばプリズムを具備する透光板によって閉じられ得る。 
【００２２】
前記光センサは、前記発光窓の中、若しくは反対側にあってもよく、又は他の例においては、例えば、前記窓のわきの、前記ハウジングの壁部内にあってもよい。 
【００２３】
前記照明器具は、天井に押し当てて、前記天井の中に、又は前記天井の下に取り付けられてもよく、例えば、オフィス及び店舗を照明するのに用いられてもよい。
【００２４】
本発明による照明器具及び光センサユニットの実施例を、図面において示し、前記図面を参照して説明する。
【発明を実施するための最良の形態】
【００２５】
図１においては、照明器具は、発光窓２と対向する領域Ｆを照明するよう光を放射するための発光窓２を面Ｐ内に備えるハウジング１を持つ。ハウジング１内には、電灯Ｌを収容するための保持手段３がある。照明器具は、電灯Ｌの明るさを制御するための光センサユニット１０を持つ。ユニット１０は、筐体１３の開口部１２に面する光センサ１１を収容する（図２対照）。光センサ１１は、領域Ｆに面し、開口部１２は、面Ｐに隣接する管状シェード２０によって周囲を囲まれる。シェード２０は、長手方向軸２２を持つ内面２１を持つ。シェード２０は、外縁２３から光センサ１１に向けて狭くなっている。電灯Ｌを起動し、動作させるため、及び光センサ１１からの信号に依存して電灯Ｌの光出力を下げる又は上げるために回路４が設けられる（図１参照）。回路４は、光センサ１１及び保持手段３に電気的に接続される。
【００２６】
シェード２０の内面２１は、軸方向断面において凸状である（図２参照）。
【００２７】
示されている実施例においては、シェード２０は、筐体１３と一体になっている。
【００２８】
この図においては、内面２１の接線２４は、外縁２３を通り、長手方向軸２２を通り、光センサ１１の端点１４を通る。軸方向断面において、内面２１は、円の弧と一致して湾曲している。曲率中心は、参照番号２５によって示されている。
【００２９】
図２は、内面２１の接線２４'が、外縁２３を通り、長手方向軸２２を通り、光センサ１１の中央領域１５において、この図においてはセンサ１１の中央において、光センサ１１と交わる別の実施例を破線で示している。シェードは、グレー値が0.5である灰色であるよう作成された。示されている、接線２４'が光センサ１１の中央を通る実施例においては、センサ１１は、円錐形をしているシェード２０と比べて６分の１しか周囲光の影響を受けないことが実験に基づいて確かめられた。
【図面の簡単な説明】
【００３０】
【図１】照明器具の実施例の長手方向の断面図である。
【図２】図１のIIにおいてとられた側面図であって、部分的に開いている側面図で、断面図で概略的に示されているシェードを備える、図１の光センサユニットの実施例を示す。
【図１】
2008533680.tif 000003
【図２】
2008533680.tif 000004
【国際調査報告】
2008533680.tif 000005
2008533680.tif 000006
2008533680.tif 000007